(57)【特許請求の範囲】
【請求項１】
大当たり抽選の結果が大当たりである場合に、遊技者にとって有利な大当たり遊技動作を実行する遊技機であって、
３つの図柄表示位置を有した表示面が設けられた可変表示器と、
大当たり抽選の結果を表す図柄の組み合わせを決定する図柄決定手段と、
上記可変表示器の各図柄表示位置における所定の図柄変動表示動作の後に、上記３つの図柄表示位置に、上記図柄決定手段によって決定された図柄の組み合わせである決定図柄を表示する図柄表示手段と、
この図柄表示手段により表示される決定図柄と、および大当たり抽選の結果が大当たりである場合に上記図柄決定手段によって決定される図柄の組み合わせからなる大当たり図柄とを含む、３つの図柄の組み合わせからなる複数通りの停止予測図柄を決定する停止予測図柄決定手段と、
上記図柄変動表示動作の開始前または上記図柄変動表示動作と並行して、上記停止予測図柄決定手段によって決定された全ての停止予測図柄を上記可変表示器の表示面に表示する停止予測図柄報知手段と、
上記可変表示器の表示面に全ての停止予測図柄が表示された状態から、各図柄表示位置に図柄が停止表示されるごとに、当該図柄表示位置に相当する構成図柄が当該図柄表示位置に停止表示された図柄に一致しない上記停止予測図柄を消去する停止予測図柄消滅手段と
を含むことを特徴とする遊技機。
【請求項２】
上記図柄表示手段は、上記３つの図柄表示位置のうち、図柄変動動作中の１つの図柄表示位置を除いた２つの図柄表示位置に共通の図柄が表示されるリーチ状態で、上記１つの図柄表示位置における変動動作の速度を相対的に低くするリーチ演出を行うリーチ演出手段を含み、
上記停止予測図柄消滅手段は、上記リーチ演出手段によるリーチ演出の続行中に、上記１つの図柄表示位置を、当該図柄表示位置に相当する構成図柄が通り過ぎた上記停止予測図柄を、消去することを特徴とする請求項１記載の遊技機。
【発明の詳細な説明】
【０００１】
【発明の属する技術分野】
この発明は、大当たり抽選の結果が大当たりである場合に、遊技者にとって有利な大当たり遊技動作を実行する遊技機に関する。
【０００２】
【従来の技術】
従来から、始動口へ遊技球が入ったことに対して大当たり抽選を行い、この大当たり抽選の結果が大当たりであれば、遊技者にとって有利な（遊技者が多数個の賞球を獲得可能な）大当たり遊技動作を実行するパチンコ機が提供されている。
この種のパチンコ機には、たとえば液晶表示器で構成される可変表示器が備えられている。可変表示器の表示画面には、複数の図柄表示位置が設定されており、各図柄表示位置に１つずつ停止表示される図柄の組合せにより、大当たり抽選の結果が報知されるようになっている。たとえば、大当たり抽選の結果が大当たりであれば、すべての図柄表示位置に同一図柄が表示され、大当たり抽選の結果がはずれであれば、少なくとも１つの図柄表示位置に他の図柄表示位置とは異なる図柄が表示される。
【０００３】
大当たり抽選の結果を表す図柄の組み合わせは、大当たり抽選が行われて、可変表示器の各図柄表示位置の表示図柄が高速変動した後、各図柄表示位置の表示図柄の変動が順次に停止されていくことにより表示される。したがって、大当たり抽選の結果が大当たりであることを表す図柄の組合せは、残り１個の図柄で大当たりかはずれかが判明する、いわゆるリーチ状態を経た後に表示されることになる。ゆえに、このリーチ状態に突入すると、遊技者の大当たりに対する期待感が急激に高まる。
【０００４】
【発明が解決しようとする課題】
しかしながら、リーチ状態に突入するまでは、遊技者の大当たりに対する期待感に変化が乏しく、遊技の興趣に欠けていた。
そこで、この発明の目的は、図柄変動表示動作（表示図柄の変動動作）の開始から大当たり抽選の結果を表す図柄（図柄組合せ）が表示されるまでの間における興趣の増大が図られた遊技機を提供することである。
【０００５】
【課題を解決するための手段および発明の効果】
上記の目的を達成するための請求項１記載の発明は、大当たり抽選の結果が大当たりである場合に、遊技者にとって有利な大当たり遊技動作を実行する遊技機であって、３つの図柄表示位置を有した表示面が設けられた可変表示器（５３）と、大当たり抽選の結果を表す図柄の組み合わせを決定する図柄決定手段（７，Ｓ４）と、上記可変表示器の各図柄表示位置における所定の図柄変動表示動作の後に、上記３つの図柄表示位置に、上記図柄決定手段によって決定された図柄の組み合わせである決定図柄を表示する図柄表示手段（７，Ｓ１１〜Ｓ１３）と、この図柄表示手段により表示される決定図柄と、および大当たり抽選の結果が大当たりである場合に上記図柄決定手段によって決定される図柄の組み合わせからなる大当たり図柄とを含む、３つの図柄の組み合わせからなる複数通りの停止予測図柄を決定する停止予測図柄決定手段（７，Ｓ７，Ｓ８）と、上記図柄変動表示動作の開始前または上記図柄変動表示動作と並行して、上記停止予測図柄決定手段によって決定された全ての停止予測図柄を上記可変表示器の表示面に表示する停止予測図柄報知手段（７，Ｓ９）と、上記可変表示器の表示面に全ての停止予測図柄が表示された状態から、各図柄表示位置に図柄が停止表示されるごとに、当該図柄表示位置に相当する構成図柄が当該図柄表示位置に停止表示された図柄に一致しない上記停止予測図柄を消去する停止予測図柄消滅手段（７）とを含むことを特徴とする遊技機である。
【０００６】
なお、括弧内の英数字は、後述の実施形態における対応構成要素等を表す。以下、この項において同じ。
この構成によれば、大当たり抽選の結果を表す図柄の表示に先立って行われる図柄変動表示動作の開始前または図柄変動表示動作と並行して、大当たり抽選の結果を表す図柄および大当たり図柄を含む複数の停止予測図柄が表示される。これにより、遊技者は、その複数の停止予測図柄に含まれている大当たり図柄が大当たり抽選の結果を表す図柄として表示されるのではないかと期待を抱いて、大当たり抽選の結果を表す図柄（決定図柄）が表示されるまでの過程を楽しみながら遊技を行うことができる。
【０００７】
大当たり図柄以外の停止予測図柄が順に消えていけば、これに伴って、遊技者の大当たりに対する期待感を高めていくことができる。
【０００８】
さらに、上記図柄表示手段は、上記３つの図柄表示位置のうち、図柄変動動作中の１つの図柄表示位置を除いた２つの図柄表示位置に共通の図柄が表示されるリーチ状態で、上記１つの図柄表示位置における変動動作の速度を相対的に低くするリーチ演出を行うリーチ演出手段（７）を含むものであってもよい。この場合、請求項２に記載のように、上記停止予測図柄消滅手段が、上記リーチ演出手段によるリーチ演出の続行中に、上記１つの図柄表示位置を、当該図柄表示位置に相当する構成図柄が通り過ぎた上記停止予測図柄を、消去するものであってもよい。
【００１０】
【発明の実施の形態】
以下では、この発明の実施の形態を、添付図面を参照して詳細に説明する。
図１は、この発明の一実施形態に係るパチンコ機の正面図である。このパチンコ機の正面には、そのほぼ上半分の領域に開口１が形成されており、開口１の下方には、遊技に使用する遊技球（パチンコ玉）を貯留しておくための上皿２と、上皿２に貯留しきれない遊技球を受けるための下皿３とが上下に並べて配置されている。この実施形態では、上皿２および下皿３が別々に構成されて配置されているが、上皿２および下皿３の機能を併せもった一体型の球受皿が開口１の下方に配置されていてもよい。また、正面側から見て下皿３の右側には、遊技に際して遊技者によって操作されるハンドル４が取り付けられている。
【００１１】
開口１には、たとえばガラス板などの透明板が嵌められており、この透明板の奥側には、遊技盤５が遊技領域Ａを透明板に対向させた状態で配置されている。上皿２に遊技球が貯留された状態でハンドル４が操作されると、機内に設けられた球発射装置（図示せず）が作動し、上皿２から機内に流入した遊技球が遊技盤５の遊技領域Ａに向けて打ち出されるようになっている。
遊技領域Ａは、遊技盤５にほぼ円弧状に配置されたガイドレール５１によって区画されている。ハンドル４の操作により発射された遊技球は、ガイドレール５１に案内されて遊技領域Ａの上部へ導かれる。遊技領域Ａには、たとえば、多数本の障害釘（図示せず）が打設されており、遊技領域Ａの上部に導かれた遊技球は、多数本の障害釘の間を通って下方へと落下していく。遊技領域Ａの最下部まで落下した遊技球は、その最下部に形成されたアウト球回収口６から機内に回収される。
【００１２】
遊技領域Ａには、中央より少し下方の位置に、始動口５２が配置されている。遊技球が遊技領域Ａ内を落下する過程で始動口５２に入ると、予め定める個数（たとえば、７個）の遊技球が賞球として付与されるとともに、遊技者に大当たり遊技を実行する機会を付与するか否かを決定するための大当たり抽選が行われる。大当たり抽選の結果は、始動口５２の上方に配置された可変表示器５３に３つの図柄（図柄要素）の組合せ（この実施形態では、３つの数字（０〜９）の組合せ）により表示される。たとえば、可変表示器５３は、液晶表示器で構成されており、可変表示器５３の表示画面には、３つの図柄表示位置が左右に並べて設定されている。そして、大当たり抽選の結果を表す図柄の組み合わせは、各図柄表示位置の表示図柄が高速変動（図柄変動表示動作）した後、各図柄表示位置の表示図柄の変動が順次に停止されていくことにより表示されるようになっている。
【００１３】
大当たり抽選の結果が大当たりであれば、たとえば、可変表示器５３に３つの同一の図柄の組合せである大当たり図柄が停止表示され、その後、遊技者は大当たり遊技を実行することができる。大当たり遊技では、始動口５２の下方に配置された大入賞口５４が予め定める態様で開閉される。たとえば、大入賞口５４を約３０秒間または約１０個の遊技球が入球するまで開放するといった動作を１ラウンドとし、この１ラウンド中に大入賞口５４に入球した遊技球のうちの少なくとも１個が大入賞口５４内の特別領域（いわゆるＶゾーン）を通過していれば、次のラウンドを実行するといったようにして、大入賞口５４の開閉動作が所定の最大継続ラウンド数（たとえば、１６ラウンド）を上限として行われる。大入賞口５４への遊技球の入球に対しては、予め定める個数（たとえば、１３個）の賞球が遊技者に付与される。したがって、大当たり遊技では、大入賞口５４に多数個の遊技球を入球させることにより、遊技者は多くの賞球を獲得することができる。
【００１４】
図２は、このパチンコ機の電気的構成を示すブロック図である。このパチンコ機は、たとえば、ＣＰＵ、ＲＡＭおよびＲＯＭなどで構成されるマイクロコンピュータを含む制御部７を有している。制御部７には、始動口５２への遊技球の入球を検出するための始動口センサ８など、パチンコ機の各部に配置されたセンサ類からの信号が入力されている。また、制御部７には、可変表示器５３と、大入賞口５４を開閉するための大入賞口開閉機構９とが制御対象として接続されている。
【００１５】
図３は、制御部７（マイクロコンピュータ）が実行する処理の流れを示すフローチャートである。始動口５２に遊技球が入り、始動口センサ８から制御部７に検出信号が入力されると（ステップＳ１でＹＥＳ）、制御部７は、まず、その始動口入球に対する大当たり抽選を実行する（ステップＳ２）。
次に、大当たり抽選の結果に基づいて、制御部７は、リーチ抽選および停止図柄抽選を実行する（ステップＳ３，Ｓ４）。リーチ抽選は、大当たり抽選の結果を表す図柄の組合せを可変表示器５３に停止表示させる過程で、残り１つの図柄が可変表示器５３に停止表示されることにより大当たり抽選の結果が判明する状態、いわゆるリーチ状態に突入するか否かを決定するための抽選である。また、停止図柄抽選は、大当たり抽選の結果を表す図柄組合せを決定するための抽選である。この停止図柄抽選では、大当たり抽選の結果が大当たりであれば、３つの同一の図柄の組合せ（大当たり図柄）が決定され、大当たり抽選の結果がはずれであれば、少なくとも１つの図柄が他の図柄とは異なる図柄の組合せ（はずれ図柄）が決定される。
【００１６】
つづいて、制御部７は、大当たり抽選の結果を表す図柄組合せの予測表示（停止予測表示）を行うか否かを決定するための停止予測表示抽選を実行する（ステップＳ５）。この停止予測表示抽選の結果が当たりであれば（ステップＳ６でＹＥＳ）、大当たり抽選の結果の表示に先立って行われる図柄変動表示動作の開始前に、その大当たり抽選の結果を表す図柄組合せ（停止図柄抽選で決定された図柄の組合せ）および少なくとも１つの大当たり図柄を含む複数の図柄組合せが停止予測図柄として可変表示器５３に表示させる。具体的には、停止予測表示抽選の結果が当たりであれば、まず、停止予測表示で可変表示器５３に表示される図柄組合せの数（２以上）を決定し（ステップＳ７）、つづいて、その決定数分の図柄組合せを決定する（ステップＳ８）。そして、その決定した複数の図柄組合せを停止予測図柄として可変表示器５３に表示させる（ステップＳ９）。その後、制御部７は、可変表示器５３の各図柄表示位置の表示図柄を高速変動開始させ（ステップＳ１０）、その後所定時間が経過すると、各図柄表示位置の表示図柄の変動を左、右、中央の順序で停止させていく（ステップＳ１１，Ｓ１２，Ｓ１３）。
【００１７】
上述の処理により、可変表示器５３の表示は、たとえば、図４(a)〜(h)に示すように変化する。すなわち、可変表示器５３には、先の大当たり抽選の結果を表す図柄組合せ（図４の例では「１２３」）が表示されている状態（図４(a)参照）から、図４(b)に示すように、停止予測表示が行われることを遊技者に知得させるために「停止予測」という文字が表示された後、図４(c)に示すように、４つの停止予測図柄「７７７」，「７５７」，「７６６」，「５６０」が一覧表示される。その後、可変表示器５３の表示画面は、停止予測図柄「７７７」，「７５７」，「７６６」，「５６０」が一覧表示された状態から、図４(d)に示すように、３つの図柄表示位置の表示図柄が高速変動している状態（この状態を「↓」で示す。）になる。そして、この図柄変動表示動作の開始から所定時間が経過すると、図４(e)〜(g)に示すように、左の図柄停止位置に１個の図柄（図４の例では「７」）が停止表示された後、右の図柄停止位置に１個の図柄（図４の例では「７」）が停止表示され、その後さらに、中央の図柄表示位置に１個の図柄が表示されて、可変表示器５３に大当たり抽選の結果を表す図柄組合せ（図４の例では「７７７」）が表示された状態となる。
【００１８】
なお、図４は、図３に示すステップＳ４の停止図柄抽選で大当たり抽選の結果を表す図柄の組合せが「７７７」に決定され、ステップＳ７で図柄組合せ（停止予測図柄）の数が４に決定され、これに応じて、ステップＳ８で停止予測図柄が「７７７」，「７５７」，「７６６」，「５６０」に決定された場合における可変表示器５３の表示画面の変化の一例である。
このように、大当たり抽選の結果の表示に先立って行われる図柄変動表示動作の開始前に、大当たり抽選の結果を表す図柄組合せおよび少なくとも１つの大当たり図柄を含む複数の停止予測図柄が可変表示器５３に表示されることにより、遊技者は、その複数の停止予測図柄に含まれている大当たり図柄が大当たり抽選結果を表す図柄組合せとして表示されるのではないかと期待を抱いて、各図柄表示位置に図柄が１個ずつ停止表示されていく過程を楽しみながら遊技を行うことができる。
【００１９】
一方、停止予測表示抽選の結果がはずれであれば（ステップＳ６でＮＯ）、制御部７は、上述のステップＳ７〜Ｓ９の処理をスキップして、可変表示器５３の各図柄表示位置の表示図柄を高速変動開始させ（ステップＳ１０）、その後所定時間が経過すると、各図柄表示位置の表示図柄の変動を左、右、中央の順序で停止させていく（ステップＳ１１，Ｓ１２，Ｓ１３）。
これにより、可変表示器５３の表示画面は、図５(a)に示すように、先の大当たり抽選の結果を表す図柄組合せ（図５の例では「１２３」）が表示されている状態から、図５(b)に示すように、３つの図柄表示位置の表示図柄が高速変動している状態になる。そして、この図柄変動表示動作の開始から所定時間が経過すると、図５(c)〜(e)に示すように、左の図柄停止位置に１個の図柄（図５の例では「７」）が停止表示された後、右の図柄停止位置に１個の図柄（図５の例では「３」）が停止表示され、その後さらに、中央の図柄表示位置に１個の図柄が表示されて、可変表示器５３に大当たり抽選の結果を表す図柄組合せ（図５の例では「７５３」）が表示された状態となる。
【００２０】
可変表示器５３に大当たり抽選の結果を表す図柄組合せが表示された後、制御部７は、その表示された図柄組合せが大当たり図柄であれば（ステップＳ１４でＹＥＳ）、大当たり遊技に関する処理（ステップＳ１５）を行った後、この処理をリターンし、はずれ図柄であれば、大当たりに関する処理は行わずに、この処理をリターンする。
以上、この発明の一実施形態について説明したが、この発明は他の形態で実施することもできる。たとえば、上述の実施形態では、大当たり抽選の結果の表示に先立って行われる図柄変動表示動作の開始前に複数の停止予測図柄が一覧表示されるとしているが、図柄変動表示動作と並行して（ただし、最初に図柄表示位置に図柄が停止表示されるまでの間に）、複数の停止予測図柄の一覧表示が行われてもよい。
【００２１】
また、複数の停止予測図柄の表示態様は、一覧表示に限らず、図６に示すように１つずつ順に表示されてもよい。すなわち、先の大当たり抽選の結果を表す図柄組合せが表示されている状態（図６(a)参照）から、図６(b)に示すように、「停止予測」という文字が表示された後、図６(c)〜(f)に示すように、４つの停止予測図柄「５６０」，「７６６」，「７６７」，「７７７」が、可変表示器５３の表示画面内を上から下へ移動するように順に表示されてもよい。この場合、４つ目の停止予測図柄「７７７」が表示された後、図６(g)に示すように、図柄変動表示動作が開始され、この動作開始から所定時間が経過すると、図６(h)〜(j)に示すように、左の図柄停止位置に１個の図柄（図６の例では「７」）が停止表示された後、右の図柄停止位置に１個の図柄（図６の例では「６」）が停止表示され、その後さらに、中央の図柄表示位置に１個の図柄が表示されて、可変表示器５３に大当たり抽選の結果を表す図柄組合せ（図６の例では「７６７」）が表示された状態となるようにしてもよい。
【００２２】
さらには、図７に示すように、停止予測表示（図３のステップＳ９）の内容を、図柄変動開始後も可変表示器５３の表示画面内に表示しておくようにしてもよい。すなわち、先の大当たり抽選の結果を表す図柄組合せが表示されている状態（図７(a)参照）から、「停止予測」という文字が表示（図７(b)参照）された後、図柄変動表示動作が開始されるとともに、たとえば、停止予測図柄「７７７」が可変表示器５３の表示画面内に設定された停止予測図柄表示領域５３ａを右から左に移動するように表示され（図７(c)，(d)参照）、その停止予測図柄「７７７」が表示画面内の所定の場所に小さく表示される（図７(e)参照）。その後、次の停止予測図柄「７５７」が可変表示器５３の表示画面内を右から左に移動するように表示され（図７(f)，(g)参照）、その停止予測図柄「７５７」が既に表示されている停止予測図柄「７７７」に並べて小さく表示される（図７(h)参照）。このようにして、図３のステップＳ８で決定された全停止予測図柄が表示されることにより停止予測表示が終了し、その停止予測表示の内容「７７７」「７５７」「７６６」「５６０」が表示されると、停止予測図柄表示領域５３ａが消滅する（図７(i)参照）。そして、所定時間が経過すると、図７(k)〜(n)に示すように、左の図柄停止位置に１個の図柄（図７の例では「７」）が停止表示された後、右の図柄停止位置に１個の図柄（図７の例では「６」）が停止表示され、その後さらに、中央の図柄表示位置に１個の図柄が表示されて、可変表示器５３に大当たり抽選の結果を表す図柄組合せ（図６の例では「７７７」）が表示された状態となる。
【００２３】
これにより、停止予測表示された停止予測図柄を遊技者が覚えておく必要がなく、図柄表示位置に図柄が１個ずつ停止表示されていく過程を楽しみながら遊技を行えるという効果をより確実に達成することができる。
なお、図７(k)に示すように、左の図柄停止位置に図柄「７」が停止された場合、この時点で、停止予測図柄「５６０」が大当たり抽選の結果を表す図柄組合せである可能性はないから、停止予測表示の内容として表示されている「５６０」は消去されるようにしてもよい。また同様に、図７(l）に示すように、右の図柄停止位置に図柄「７」が停止されると、この時点で、停止予測図柄「７６６」が大当たり抽選の結果を表す図柄組合せである可能性はないから、停止予測表示の内容として表示されている「７６６」は消去されるようにしてもよい。さらにまた、左右の図柄表示位置に図柄「７」が表示されているリーチ状態で、中央の図柄表示位置の表示図柄の変動速度を遅くするといったリーチ演出が行われる場合には、図７(m)に示すように、中央の図柄表示位置の表示図柄が図柄「５」から図柄「６」に変わり、停止予測図柄「７５７」が大当たり抽選の結果を表す図柄組合せである可能性がなくなった時点で、停止予測表示の内容として表示されている「７５７」が消去されるようにしてもよい。大当たり図柄以外の停止予測図柄が順に消えていけば、これに伴って、遊技者の大当たりに対する期待感を高めていくことができる。
【００２４】
また、上述の実施形態では、停止予測図柄が可変表示器５３に表示されるとしたが、可変表示器５３とは別に設けられた表示器（たとえば、液晶表示器、セグメント表示器、ＬＥＤ表示器など）に停止予測図柄が表示されるようにしてもよい。
さらには、停止予測図柄を表示する構成に限らず、停止予測図柄を音声で報知する構成が採用されてもよい。
【００２５】
その他、特許請求の範囲に記載された事項の範囲で種々の設計変更を施すことが可能である。
【図面の簡単な説明】
【図１】この発明の一実施形態に係るパチンコ機の正面図である。
【図２】上記パチンコ機の電気的構成を示すブロック図である。
【図３】始動口に遊技球が入ったことに応答して行われる処理の流れを示すフローチャートである。
【図４】停止予測表示実行時の可変表示器の表示画面の変化の一例を示す図である。
【図５】停止予測表示非実行時の可変表示器の表示画面の変化の一例を示す図である。
【図６】停止予測図柄の表示態様の変形例について説明するための図である。
【図７】停止予測表示の後の所定時間、その停止予測表示の内容を表示しておく構成について説明するための図である。
【符号の説明】
７      制御部
５３    可変表示器
【図１】
0004199461.tif 000002
【図２】
0004199461.tif 000003
【図３】
0004199461.tif 000004
【図４】
0004199461.tif 000005
【図５】
0004199461.tif 000006
【図６】
0004199461.tif 000007
【図７】
0004199461.tif 000008